(57)【特許請求の範囲】
【請求項１】
磁気層が形成されたプラスチックシート層からなる厚さが０．０６０〜０．１８０ｍｍの表紙材と、厚さが０．０６０〜０．１８０ｍｍの見返し用部材とが積層された厚さが０．１２〜０．２４ｍｍである表紙を備えた構成からなり、前記見返し用部材が耐水紙からなることを特徴とする磁気通帳。
【請求項２】
磁気層が形成されたプラスチックシート層からなる厚さが０．０６０〜０．１８０ｍｍの表紙材と、厚さが０．０６０〜０．１８０ｍｍの見返し用部材とが積層された厚さが０．１２〜０．２４ｍｍである表紙を備えた構成からなり、前記見返し用部材がプラスチックシート層からなることを特徴とする磁気通帳。
【請求項３】
前記磁気層が前記表紙材の全面に形成されるとともに前記磁気層面に隠蔽層が形成されていることを特徴とする請求項１または請求項２に記載の磁気通帳。
【発明の詳細な説明】
【０００１】
【産業上の利用分野】
本発明は銀行の通帳自動記帳機等の自動機にて使用する磁気通帳に関する。
【０００２】
【従来の技術】
従来、銀行等の自動機にて使用する磁気通帳としては、上質紙等からなる見返し紙片と複数枚の本紙とを中綴じし、見返し紙片の外面に６０＃程度の平織綿布に樹脂加工を施した樹脂加工綿クロスを積層して、見返し紙片の外面に樹脂加工綿クロスが積層された表紙を形成し、表紙の表面に印刷により所定の絵柄層を設け、絵柄層を印刷した面に磁気テープを貼着して磁気層を設け、中綴じ部にて本紙を内側にして２つ折りした構成のものが知られているが、この構成の磁気通帳では、見返し紙片の外面に６０＃程度の平織綿布に樹脂加工を施した樹脂加工綿クロスを積層した構成であり、樹脂加工綿クロスの厚さが０．１３〜０．１６ｍｍであり、見返し紙片と貼り合わせた厚さが０．２４〜０．３５ｍｍとなっており、磁気通帳の総厚さが２．００〜２．０７ｍｍ以下と規制されているため、例えば、０．１００ｍｍ厚さの本紙を使用した場合は、本紙の枚数は最大７枚となりそれ以上枚数を増やすことができないという欠点がある。
【０００３】
また、特開平１１−１２９６４９号公報に記載されているような、基材紙とプラスチックフィルムを接着剤を介して貼り合わせた厚さが１１５〜２３０μｍの磁気通帳用表紙材料と見返し紙を貼り合わせた構成の総厚さが３５０μｍ以下の表紙を備えた磁気通帳が知られているが、しかしながら、この磁気通帳では、表紙の総厚さが３５０μｍ以下と厚いために、磁気通帳の総厚さを２．００〜２．０７ｍｍ以下とするためには、例えば、０．１００ｍｍ厚さの本紙を使用した場合、本紙の枚数は最大７枚となりそれ以上枚数を増やすことができないという欠点がある。
【０００４】
【発明が解決しようとする課題】
本発明は、銀行等で使用される磁気通帳において、表紙のカールを防ぎ且つ剛性を維持して自動機における表紙の捲り適性を確保して表紙の厚さを薄くすることにより、磁気通帳の総厚さを上限値である２．００〜２．０７ｍｍ以下としながら、磁気通帳の本紙の綴じ枚数を増やし記載情報量の増大を図るものである。
また、本紙枚数が従来と同じ場合は、表紙が薄くなることで磁気通帳の総厚さが薄くなるので自動発行機の収納カセットへの装填数が増え補充作業を減らし無人可動時間を長くすることができる磁気通帳を提供することである。
【０００５】
【課題を解決するための手段】
磁気層が形成されたプラスチックシート層からなる厚さが０．０６０〜０．１８０ｍｍの表紙材と、厚さが０．０６０〜０．１８０ｍｍの見返し用部材とが積層された厚さが０．１２〜０．２４ｍｍである表紙を備えた構成とすることにより、プラスチックシート層は同じ厚さの樹脂加工綿クロス等と比較して剛性が大きいので、表紙の厚さを０．２４ｍｍ以下とした場合でも、自動機における磁気通帳の表紙の捲り適性を損なわない剛性を維持できるので、磁気通帳の総厚さを変えずに表紙の厚さの薄くなった分だけ磁気通帳の本紙の枚数を増やして記載情報量を増大させた磁気通帳とすることができる。
【０００６】
上記の磁気通帳において、前記見返し用部材が耐水紙からなる構成とすることにより、表紙が湿気の影響によりカールが発生するのを防止できるとともに、剛性を付与して自動機における表紙の捲り適性をよくすることができる。
【０００７】
上記の磁気通帳において、見返し用部材がプラスチックシート層からなる構成とすることにより、表紙の総厚さをより薄くして、自動機における表紙の捲り適性を損なわない剛性を維持し、カールの発生しない表紙とすることができる。
【０００８】
上記の磁気通帳において、磁気層が表紙材の全面に形成されるとともに磁気層面に隠蔽層が形成されている構成とすることにより、平滑な表紙の外面を全面絵柄層に使用できるので意匠性がよくなるとともに、使用する自動機に合わせて任意の位置にデータを記録させることができるので、全ての自動機に対応可能できる磁気通帳とすることができる。
【００１０】
【発明の実施の形態】
以下、図面を引用して本発明の実施の形態を説明する。
図１は本発明の第１実施形態を示す折り畳んだ断面図、図２は本発明の第１実施形態の表紙の構成を示す断面図、図３は本発明の第２実施形態の表紙の構成を示す断面図、図４は本発明の第３実施形態の表紙の構成を示す断面図、図５は本発明の第４実施形態の表紙の構成を示す断面図、図６は第１実施形態の表紙材を見返し用部材に接着した状態の断面図であって、１, 1', 1",1"'は表紙、２，３は本紙、４は綴じ部、11, 11' は表紙材、12は接着剤層、13は耐水紙層、14，21はプラスチックシート層、22, 22' は磁気層、23は隠蔽層、24は印刷層、25は保護層、26，27は印刷適性層をそれぞれ表す。
【００１１】
本発明の第１実施形態の折り畳んだ断面図は、図１に示すとおりであり、耐水紙層13からなる見返し用部材の外面に接着剤層12を介して図２に示す表紙材11が積層された構成の表紙１と、複数枚の本紙２，３とが、中綴じ部４にて綴じられ、中綴じ部４にて表紙１を外側にして２つ折りされた構成であり、耐水紙層13からなる見返し用部材と本紙２，３とが綴じ部４にて綴じられた後に、表紙材11が接着剤層12により耐水紙層13の外面に積層されている。耐水紙を使用することにより表紙１が湿気を吸収してカールするのを防止することができる。第１実施形態では、便宜上、２枚の本紙からなる構成を図示したが、実用的には８枚の本紙が使用されるものである。
【００１２】
第１実施形態の表紙１は、図２に示すように、プラスチックシート層21の一方の面に磁気層22と隠蔽層23と印刷層24と保護層25が順に積層され保護層25面に部分的に印字適性層26が形成されてなる表紙材11のプラスチックシート層21面に接着剤層12を介して耐水紙層13が積層された構成である。磁気層22と隠蔽層23と印刷層24と保護層25はコーテイング又は印刷によりプラスチックシート層21の一方の面に形成される。磁気層22が表紙１の全面に形成された構成であるので表紙１の外面の平滑性が得られるとともに、磁気層22は黒褐色であるが磁気層22面に白色に近い色の隠蔽層23が形成され、黒褐色の磁気層12の色が表面に露出しないようにされて、白色に近い隠蔽層23の外面の全面に鮮明な絵柄の印刷層24を形成することができるので、意匠性の優れた磁気通帳とすることができる。また、磁気通帳の磁気層の任意の位置にデータを書き込むことができる。
【００１３】
本発明の第２実施形態は、プラスチックシート層14からなる見返し用部材と表紙材11が積層された図３に示す構成の表紙1'を備えた磁気通帳である。第２実施形態の表紙1'は、図３に示すとおり、プラスチックシート層21の一方の面に磁気層22と隠蔽層23と印刷層24と保護層25が順に積層され保護層25面に部分的に印字適性層26が形成されてなる表紙材11のプラスチックシート層21面に接着剤層12を介してプラスチックシート層14からなる見返し用部材が積層され、プラスチックシート層14の内面に部分的な印字適性層27が形成された構成である。第２実施形態では、プラスチックシート層14からなる見返し用部材を使用しているので、表紙1'の剛性を大きくすることができるとともに、積層中に紙層を有してしないため表紙1'が湿気を吸収してカールが発生するのを防止することができる。また、磁気層22が表紙１の全面に形成された構成であるので表紙１の外面の平滑性が得られ意匠性が優れるとともに、磁気通帳の磁気層の任意の位置にデータを書き込むことができる。
【００１４】
本発明の第３実施形態は、耐水紙層13からなる見返し用部材と表紙材11' が積層された図４に示す構成の表紙1"を備えた磁気通帳である。第３実施形態の表紙1"は、図４に示すとおり、プラスチックシート層21の一方の面にストライプ状に磁気層22' が部分的に形成されるとともに磁気層22' が形成されていない領域に印刷層24と保護層25が形成された構成からなる表紙材11' のプラスチックシート層21面に接着剤層12を介して耐水紙層13が積層された構成である。第３実施形態では、見返し用部材として耐水紙層13を使用しているので、表紙1'が湿気を吸収することによりカールが発生するのを防止することができる。
【００１５】
本発明の第４実施形態は、プラスチックシート層14からなる見返し用部材と表紙材11' が積層された図５に示す構成の表紙1'" を備えた磁気通帳である。第４実施形態の表紙1'" は、図５に示すとおり、プラスチックシート層21の一方の面にストライプ状に磁気層22' が部分的に形成されるとともに磁気層22' が形成されていない領域に印刷層24と保護層25が形成された構成からなる表紙材11' のプラスチックシート層21面に接着剤層12を介して内面に印字適性層27が形成されたプラスチックシート層14が積層された構成である。第４実施形態では、プラスチックシート層14からなる見返し用部材を使用しているので、表紙1'" の剛性を大きくすることができるとともに、積層中に紙層を有してしないため表紙1'" が湿気を吸収してカールが発生するのを防止することができる。なお、第３、第４実施形態においては、プラスチックシート層21の一方の面に磁気層22' を形成する領域を除いて印刷層24と保護層25を形成した後に、印刷層24と保護層25が形成されていない領域に磁気層を転写するか又は磁気テープを接着することにより磁気層22' が形成された構成となっているが、磁気層22' をプラスチックシート層21面にコーテイングや印刷又は転写により部分的に形成した後に印刷層24と保護層25を形成した構成とすることもできる。
【００１６】
第１〜第４実施形態において、プラスチックシート層21の一方の面の全面に磁気層22と隠蔽層23と印刷層24と保護層25が順に積層された構成からなる表紙材11の厚さ、ないしは、プラスチックシート層21の一方の面に印刷層24と保護層25と部分的な磁気層22' が順に積層された構成からなる表紙材11' の厚さは、０．０６０〜０．１８０ｍｍとされるとともに、耐水紙層13又はプラスチックシート層14からなる見返し用部材の厚さは０．０６０〜０．１８０ｍｍとされているので、表紙1,1'の厚さは０．１２〜０．２４ｍｍとすることができるものである。
【００１７】
第１、第２実施形態の磁気通帳を作製するには、連続したプラスチックシート層21の一方の面に磁気層22と隠蔽層23と印刷層24と保護層25と部分的な印字適性層26を順にコーテイングないしは印刷により形成して連続したロール状の表紙材11を作製する。一方、複数の磁気通帳が取れる大きさの、内面側に所定の印刷を施した耐水紙層13又は内面側に所定の印刷と印字適性層27を形成したプラスチックシート層14からなる見返し用部材と、両面に所定の印刷を施した複数枚の本紙２，３を丁合して綴じ部４にて綴じ、次いで、耐水紙層13又はプラスチックシート層14からなる見返し用部材の外面に、接着剤12を使用して表紙材11をプラスチックシート層21面で貼り合わせて、図６に示す状態とし、所定の位置にて断裁して綴じ部４にて表紙材11が外側となるように２つ折りすることより作製される。
なお、必要により、プラスチックシート層21及びプラスチックシート層14の接着剤にて接着する面に接着性を良くするためにアンカーコート層を設けるようにしてもよい。
【００１８】
第３、第４実施形態の磁気通帳を作製するには、プラスチックシート層21の一方の面に磁気層22' を形成する領域を除いて印刷層24と保護層25を印刷により形成した後に、印刷層24と保護層25が形成されていない領域に磁気層を転写するか又は磁気テープを接着することにより部分的な磁気層22' を形成して表紙材11' を製造する以外は、第１、第２実施形態と同じ方法で製造することができる。また、連続したプラスチックシート層21の一方の面にストライプ状の部分的な磁気層22' をコーテイングないしは印刷により形成した後に、隠蔽層と印刷層と保護層を全面に印刷により形成して表紙材11' を作製し、以後の工程は第１、第２実施形態と同様にして製造することができる。
【００１９】
表紙材11を構成するプラスチックシート層21、見返し用部材を構成するプラスチックシート層14としては、２軸延伸ポリエチレンテレフタレート、２軸延伸ポリエチレンナフタレート等の強度、剛性、耐熱性等に優れた２軸延伸プラスチックシートが好適に使用できる。また、プラスチックシート層として非晶質ポリエステル（Ａ−ＰＥＴ）からなるシートを使用することもでき、表紙材と見返し用部材とを非晶質ポリエステルとした場合は、接着剤を使用せずに熱プレスにより表紙材と見返し用部材を積層することができる。表紙材または見返し用部材となるプラスチックシート層の厚さは０．０６〜０．１８ｍｍとされる。上記の厚さとすることにより、表紙の剛性が大きくなるとともに、表紙材11,11'を作製する際の印刷適性、コーテイング適性、及び表紙材11,11'とプラスチックシート層14からなる見返し用部材とのラミネーション適性も良好となる。
【００２０】
表紙材11の磁気層22は、酸化鉄等の磁性体をウレタン系樹脂中に分散した塗料又はインキを使用してコーテイング又はグラビア印刷等の方法によりプラスチックシート層21面に数μｍの厚さに形成される。磁気層22は、少なくともプラスチックシート層21面の磁気通帳にした状態で磁気層を形成したい領域に対応した位置に部分的に設ければよいのであるが、プラスチックシート層21の全面に設けるのが好ましい。磁気層を部分的に設けるには所定の印刷版を使用したグラビア印刷、ストライプ状のコーテイングにより形成することができる。磁気層をプラスチックシート層21の全面に設けることにより、所要の磁気層の位置・形状の異なるいずれのタイプの自動機にも対応することができるとともに、同一のデータを複数箇所の記録部に記録することができるので、１つの記録部のデータが破壊された場合でも磁気通帳が使用不能になることがない。
【００２１】
隠蔽層23は、黒褐色の磁気層22の色が表面に透けて出ないように隠蔽することにより、隠蔽層23面に印刷される絵柄層24の色調が鮮明さを失わないようにして絵柄層24による装飾効果を高めるためのものである。したがって、隠蔽層23は隠蔽性の優れた明度の大きい顔料を高濃度に含むインキにて印刷することが必要となる。隠蔽性の優れた明度の大きい顔料としては酸化チタン顔料を使用するのが最も好ましい。隠蔽層23は、白色の酸化チタン顔料を含む塗料又はインキを使用してコーテイング又はグラビア印刷等により数μｍの厚さに形成される。絵柄層24及び保護層25はウレタン系樹脂からなるプラスチック用のインキを使用してグラビア印刷等により設ける。また、印字適性層26,27 は炭酸カルシウム、マイクロシリカ等を含むインキを使用してグラビア印刷等により形成される。
【００２２】
見返し用部材となる耐水紙層13としては、厚さが０．０６０〜０．１２０ｍｍである、耐水性の合成樹脂からなるサイズ剤で処理した紙、耐水性の合成樹脂を含浸させた紙等が使用できる。本紙２，３としては、厚さが０．１００〜０．１０５ｍｍの上質紙等が使用できる。第１〜第４実施形態の磁気通帳では、０．０６〜０．１８ｍｍの厚さの表紙材と、０．０６〜０．１８ｍｍの耐水紙層又はプラスチックシート層からなる見返し用部材が積層された、厚さが０．２４ｍｍ以下の表紙を備えているので、総厚さが２．００〜２．０７ｍｍ以下とした場合でも、厚さが０．１００〜０．１０５ｍｍの８枚の本紙からなる１６頁の本紙頁数を有する情報記載量の多い磁気通帳とすることができるものである。
【００２３】
【発明の効果】
磁気層が形成されたプラスチックシート層からなる厚さが０．０６０〜０．１８０ｍｍの表紙材と、厚さが０．０６０〜０．１８０ｍｍの見返し用部材とが積層された厚さが０．１２〜０．２４ｍｍである表紙を備えた構成とすることにより、プラスチックシート層は同じ厚さの樹脂加工綿クロス等と比較して剛性が大きいので、表紙の厚さを０．２４ｍｍ以下とした場合でも、自動機における磁気通帳の表紙の捲り適性を損なわない剛性を維持できるので、磁気通帳の総厚さを変えずに表紙の厚さの薄くなった分だけ磁気通帳の本紙の枚数を増やして記載情報量を増大させた磁気通帳とすることができる。
【００２４】
上記の磁気通帳において、前記見返し用部材が耐水紙からなる構成とすることにより、表紙が湿気の影響によりカールが発生するのを防止できるとともに、剛性を付与して自動機における表紙の捲り適性をよくすることができる。
【００２５】
上記の磁気通帳において、見返し用部材がプラスチックシート層からなる構成とすることにより、表紙の総厚さをより薄くして、自動機における表紙の捲り適性を損なわない剛性を維持し、カールの発生しない表紙とすることができる。
【００２６】
上記の磁気通帳において、磁気層が表紙材の全面に形成されるとともに磁気層面に隠蔽層が形成されている構成とすることにより、平滑な表紙の外面を全面絵柄層に使用できるので意匠性がよくなるとともに、使用する自動機に合わせて任意の位置にデータを記録させることができるので、全ての自動機に対応可能できる磁気通帳とすることができる。
【００２７】
上記の磁気通帳において、表紙材の外面及び見返し用部材となるプラスチックシート層の内面に印字適性層が形成されている構成とすることにより、表紙の外面及び内面の印字適性層に印字ないしは筆記するのが容易となる。
【図面の簡単な説明】
【図１】本発明の第１実施形態を示す折り畳んだ断面図。
【図２】本発明の第１実施形態の表紙の構成を示す断面図。
【図３】本発明の第２実施形態の表紙の構成を示す断面図。
【図４】本発明の第３実施形態の表紙の構成を示す断面図。
【図５】本発明の第４実施形態の表紙の構成を示す断面図。
【図６】第１実施形態の表紙材を見返し用部材に接着した状態の断面図。
【符号の説明】
１，1', 1", 1"'   表紙
２，３  本紙
４  綴じ部
11，11'   表紙材
12  接着剤層
13  耐水紙層
14  プラスチックシート層
21  プラスチックシート層
22，22'   磁気層
23  隠蔽層
24  印刷層
25  保護層
26，27  印刷適性層
【図１】
0004570003.tif 000002
【図２】
0004570003.tif 000003
【図３】
0004570003.tif 000004
【図４】
0004570003.tif 000005
【図５】
0004570003.tif 000006
【図６】
0004570003.tif 000007